(57)【要約】【課題】無線電話機に登録されているデータを他の装置で表示する場合にその無線電話機を所有する利用者のプライバシーを保護する。【解決手段】無線電話機２は、充電台１に載置されると、自身に登録されている例えば電話帳データを充電台１にダウンロードして充電台１のＬＣＤ１６Ａに表示可能にする。充電台１では、ダウンロードされ充電台１のＬＣＤ１６Ａに表示されているデータを、表示消去ボタンの操作やタイマによる所定時間の経過に応じて消去可能にする。また、このダウンロードデータは記憶部１５にも格納することができ、こうした記憶部１５に格納されているダウンロードデータは、データ消去ボタンの操作やタイマによる所定時間の経過に応じて消去可能にする。【選択図】  図５
2005294953.tif 000002
【特許請求の範囲】
【請求項１】
無線電話機と、前記無線電話機との接続手段を有し前記無線電話機への充電が可能な充電台とからなる無線電話システムにおいて、
前記無線電話機は、機能情報をダウンロードするダウンロード手段を有し、
前記充電台は、少なくとも前記ダウンロード手段のダウンロードに基づく情報を表示する表示手段と、前記情報を消去する消去手段とを有することを特徴とする無線電話システム。
【請求項２】
請求項１において、
前記無線電話機は、前記機能データが登録されたメモリを有し、前記充電台は、前記接続手段を介して自身に前記無線電話機が接続されたときに前記ダウンロード手段から前記接続手段を介してダウンロードされる前記メモリの機能データを前記表示手段に表示する表示制御手段を有することを特徴とする無線電話システム。
【請求項３】
請求項１において、
前記充電台は、前記接続手段を介して自身に接続された前記無線電話機が通話に移行すると通話情報を前記表示手段に表示する表示制御手段を有することを特徴とする無線電話システム。
【請求項４】
請求項１において、
前記無線電話機は、前記機能データが登録されたメモリを有し、前記充電台は、記憶手段と、前記接続手段を介して自身に前記無線電話機が接続されたときに前記ダウンロード手段から前記接続手段を介してダウンロードされる前記メモリの機能データを前記記憶手段に格納する制御手段とを有することを特徴とする無線電話システム。
【請求項５】
請求項１ないし３のいずれかにおいて、
前記充電台はタイマ手段を有し、前記消去手段は、前記表示手段への情報の表示後の前記タイマ手段の計時による所定時間経過後に前記表示手段に表示されている情報を消去することを特徴とする無線電話システム。
【請求項６】
請求項１又は４において、
前記充電台はタイマ手段を有し、前記消去手段は、前記充電台への無線電話機の非接続が検出された後の前記タイマ手段の計時による所定時間経過後に前記記憶手段の格納データを消去することを特徴とする無線電話システム。
【請求項７】
請求項１，２，３，５のいずれかにおいて、
前記充電台は、表示開始キーを有し、前記表示開始キーの操作に基づいて前記表示手段への情報の再表示を可能にすることを特徴とする無線電話システム。
【請求項８】
無線電話機との接続手段を有し、前記無線電話機への充電が可能な充電台において、
自身に接続された前記無線電話機からダウンロードされる機能情報を受信する受信手段と、少なくとも前記受信手段の受信に基づく情報を表示する表示手段と、前記情報を消去する消去手段とを有することを特徴とする充電台。
【発明の詳細な説明】
【技術分野】
【０００１】
本発明は、無線回線を介して通話が可能な無線電話システム及び充電台に関する。
【背景技術】
【０００２】
この種の無線電話システムに関連するシステムとして、特開２００１−６９２２５号公報に開示されているシステムがある。
【０００３】
このシステムは、携帯電話機の電話帳データをボタン電話装置の子機側で表示できるようにしたシステムである。ここで、携帯電話機のデータ入出力端子５３と子機のデータ入出力端子４２とを接続し、子機のキー操作を行うか、又は携帯電話機と子機とを接続することにより自動的に携帯電話機側から子機へ電話帳データの転送が行われ、子機側のメモリにその電話帳データが格納され、子機側においてその電話帳データの表示が可能になるものである。また、このシステムでは、携帯電話機からの電話帳データを子機を経由して主装置の記憶部２３に格納し、子機から表示要求がある都度、主装置からその電話帳データを送信して子機の表示器に表示することも可能になっている。さらに、このシステムでは、携帯電話機から子機へのデータ伝送中に子機が受信データを解析して該当する電話帳データを抽出し表示器に表示することもできる（特許文献１参照）。
また、一般にボタン電話装置の子機は、通話中の時間や料金を表示器に表示している。
【０００４】
【特許文献１】特開２００１−６９２２５号公報
【発明の開示】
【発明が解決しようとする課題】
【０００５】
このように、従来のシステムは、携帯電話機の電話帳情報を子機側で表示することができる。また、携帯電話機の通話情報を子機側で表示することも考えられる。しかしながら、このような携帯電話機は利用者が子機から外して持ち運びすることが可能であり、その携帯電話機が利用者の持ち運びにより子機から離れた時に、それらの情報が子機側で表示されたままになっていると、利用者のプライバシーを保護することができないという課題があった。
【０００６】
したがって、本発明は、携帯電話等の無線電話機に登録されているデータを他の装置で表示する場合にその無線電話機を所有する利用者のプライバシーを保護することを目的とする。
【課題を解決するための手段】
【０００７】
このような課題を解決するために請求項１の発明は、無線電話機と、無線電話機との接続手段を有し無線電話機への充電が可能な充電台とからなる無線電話システムにおいて、無線電話機は、機能情報（機能データ）をダウンロードするダウンロード手段を有し、充電台は、少なくともダウンロード手段のダウンロードに基づく情報を表示する表示手段と、前記情報を消去する消去手段とを有することを特徴とするものである。
また、請求項２の発明は、請求項１において、無線電話機は、機能データが登録されたメモリを有し、充電台は、接続手段を介して自身に無線電話機が接続されたときにダウンロード手段から接続手段を介してダウンロードされるメモリの機能データを表示手段に表示する表示制御手段を有するものである。
【０００８】
また、請求項３の発明は、請求項１において、充電台は、接続手段を介して自身に接続された無線電話機が通話に移行すると通話情報を表示手段に表示する表示制御手段を有するものである。
また、請求項４の発明は、請求項１において、無線電話機は、機能データが登録されたメモリを有し、充電台は、記憶手段と、接続手段を介して自身に無線電話機が接続されたときにダウンロード手段から接続手段を介してダウンロードされるメモリの機能データを記憶手段に格納する制御手段とを有するものである。
また、請求項５の発明は、請求項１ないし３のいずれかにおいて、充電台はタイマ手段を有し、上記消去手段は、表示手段への情報の表示後のタイマ手段の計時による所定時間経過後に表示手段に表示されている情報を消去するものである。
【０００９】
また、請求項６の発明は、請求項１又は４において、充電台はタイマ手段を有し、上記消去手段は、前記充電台への無線電話機の非接続が検出された後の前記タイマ手段の計時による所定時間経過後に前記記憶手段の格納データを消去するものである。
また、請求項７の発明は、請求項１，２，３，５のいずれかにおいて、充電台は、表示開始キーを有し、表示開始キーの操作に基づいて表示手段への情報の再表示を可能にするものである。
また、請求項８の発明は、無線電話機との接続手段を有し、無線電話機への充電が可能な充電台において、自身に接続された無線電話機からダウンロードされる機能情報を受信する受信手段と、少なくとも受信手段の受信に基づく情報を表示する表示手段と、前記情報を消去する消去手段とを設けたものである。
【発明の効果】
【００１０】
本発明によれば、充電台は、無線電話機からのダウンロードに基づく情報を表示する表示手段と、この情報を消去する消去手段とを備えるようにしたので、充電台の表示手段に無線電話機を所有する利用者の例えば私用データが表示されていたとしても、この私用表示データを消去できるため、この私用データが第三者に知られることを排除でき、これにより、その利用者のプライバシーを保護できる。
【００１１】
また、充電台は、無線電話機からダウンロードされるこの無線電話機のメモリの機能データを表示手段に表示するようにしたので、充電台ではその無線電話機に登録されている例えば電話帳情報を表示できる。
また、充電台は、無線電話機が通話に移行すると通話情報を表示手段に表示するようにしたので、充電台では無線電話機の通話時にその通話情報を表示できる。
また、充電台は、無線電話機からダウンロードされるその無線電話機のメモリの機能データを記憶手段に格納するようにしたので、充電台の記憶手段に無線電話機の電話帳情報を格納できる。
【００１２】
また、充電台は、表示手段に表示されている情報をタイマ手段の計時による所定時間経過後に消去するようにしたので、表示手段に表示されている利用者の例えば私用データ等を簡単な構成で消去できるとともに、その利用者のプライバシーを同様に保護できる。
また、充電台は、無線電話機の非接続が検出された後のタイマ手段の計時による所定時間経過後に記憶手段の格納データを消去するようにしたので、充電台の記憶手段に無線電話機を所有する利用者の例えば私用データが格納されていたとしても、この私用データを簡単な構成により消去できるため、同様にこの私用データの第三者への漏洩を阻止でき、これにより、その利用者のプライバシーを保護できる。
また、充電台は、表示開始キーの操作に基づき表示手段への情報の再表示を可能にしたので、消去されている情報を必要に応じて表示手段に再表示できる。
【発明を実施するための最良の形態】
【００１３】
図１は、本発明に係る無線電話システムの構成を示すブロック図である。この無線電話システムは、図１に示すように、充電台１と、この充電台１により充電される携帯電話機である無線電話機２とから構成される。
【００１４】
充電台１は、図１（ａ）に示すように、ＡＣ１００Ｖ電源を入力して充電台１の各部に電源電圧Ｖを供給する電源部１１と、電源部１１からの電源を無線電話機２に給電して充電させる給電部１２と、制御部１３と、無線電話機２とデータ伝送を行うための電話機Ｉ／Ｆ部１４と、記憶部１５と、表示器であるＬＣＤ１６Ａ及びＬＥＤ１６Ｂからなる表示部１６と、機能ボタン１７Ａ、テンキー（ダイヤルボタン）１７Ｂ、表示開始ボタン１７Ｃ、表示消去ボタン１７Ｄ、データ消去ボタンからなる操作部１７と、センサ１８と、時計／カレンダ部１９とを備えている。
【００１５】
また、無線電話機２は、図１（ｂ）に示すように、制御部２１と、メモリ２２と、表示部２３と、操作部２４と、無線部２５と、アンテナ２６と、通話部２７と、マイク２７と、スピーカ２９と、充電台１とデータ伝送を行うための通信Ｉ／Ｆ部３０と、無線電話機２の各部に電源電圧Ｖ’を供給する電池３１と、充電台１から給電電流を電池３１に供給して充電する充電Ｉ／Ｆ部３２とからなる。
【００１６】
このような無線電話機２として、図２（ａ）のように、複数の外線を収容するボタン電話装置の主装置４に子機として無線接続が可能な無線電話機２Ａと、図２（ｂ）のように、無線基地局５に無線接続が可能な無線電話機２Ｂとがある。
【００１７】
ここで、ボタン電話装置の主装置４に無線接続が可能な無線電話機２Ａの場合には、操作部２４として、ダイヤルボタンの他に、オートダイヤル発信やリダイヤル発信をそれぞれ可能にするオートダイヤルボタンやリダイヤルボタン、主装置４に収容されている外線を選択するための外線ボタンなどの各種機能ボタンが設けられている。そして、オートダイヤルボタンが操作されると、無線電話機２Ａの制御部２１はメモリ２２に登録されているそのオートダイヤルボタンに対応するダイヤル番号（相手電話番号）を読み出して無線部２５へ送信し、さらに無線部からアンテナ２６を介して主装置４側へ送信させることにより、主装置４から外線を介したオートダイヤルの発信が行われる。また、リダイヤルボタンが操作されると、制御部２１はメモリ２２のリダイヤル領域に記憶されているリダイヤル番号（電話番号）を読み出して主装置４側へ送信することにより主装置４から外線を介してリダイヤル発信が行われる。さらに、外線ボタンが操作されると、制御部２１はこの操作情報を主装置４側へ送信し、主装置４はこの操作情報に応じた外線を捕捉する。
【００１８】
また、無線基地局５に無線接続が可能な一般の携帯電話のような無線電話機２Ｂの場合は、操作部２４として、ダイヤルボタンの他に、メモリ２２内の電話帳の中から発信相手先を選択するための機能ボタンが設けられている。電話帳には、こうした機能ボタンに対応して、発信相手先名とその電話番号が対に登録され、機能ボタンが操作されると、無線電話機２Ｂの制御部２１は、電話帳から対応する電話番号を読み出し表示部２３に表示し、続いてオフフック操作が行われると、読み出した電話番号を無線部２５へ送信することにより、無線部２５からアンテナ２６を介した発信を行わせる。これにより、無線基地局５及び無線交換網６を経由した相手への呼び出しが行われ、相手の応答により通話が可能になる。
【００１９】
このような無線電話機２は、各機能ボタンに対応した機能情報（機能データ：無線電話機２Ａの場合は、後述するオート＃１，オート＃２，リダイヤル，外線＃１，＃２といったボタン名（ボタンの名称）、無線電話機２Ｂの場合は、発信相手先名）がメモリ２２に登録され、かつそれぞれの機能ボタンに対応するように表示部２３のＬＣＤの各領域に表示される。
【００２０】
ここで、こうした無線電話機２が充電台１に載置されると、制御部２１はメモリ２２からこうした機能データを読み出して充電台１へ送信し、充電台１のそれぞれの機能ボタン１７Ａに対応するようにＬＣＤ１６Ａの各領域に表示させる。また、こうした機能データと一緒にメモリ２２に登録されているオートダイヤル番号や、電話帳内の電話番号も読み出して充電台１に送信し、充電台１の記憶部１５に格納させる。
【００２１】
図３は、ボタン電話装置の主装置４に無線接続可能な無線電話機２Ａ側から送信した機能データを充電台１で表示した例を示す図である。充電台１の制御部１３は、無線電話機２Ａの制御部２１がメモリ２２から読み出し、通信Ｉ／Ｆ部３０を介して送信された、例えば、無線電話機２Ａの各オートダイヤルボタン（各機能ボタン）の名称であるオート＃１，オート＃２，・・・といった各機能データを、電話機Ｉ／Ｆ部１４を介して受信すると、図３（ａ）のように、各機能ボタン１７Ａに対応するＬＣＤ１６Ａの領域に表示する。なお、この受信した各機能データと、同じく受信したこれら各機能データに対応する電話番号（オートダイヤル番号）とを対に記憶部１５に格納する。
【００２２】
また、充電台１の制御部１３は、無線電話機２Ａ側から送信された、その無線電話機２Ａに設けられた機能ボタンの名称である例えば外線＃１，外線＃２，リダイヤル，○○（株），○△（株）などの機能データを受信すると、記憶部１５に格納するとともに、各機能ボタン１７Ａに対応するＬＣＤ１６Ａの領域に図３（ｂ）のように表示する。なお、無線電話機２Ａは、発信相手先名を表す、○○（株），○△（株）などの機能データを送信する場合、これらの機能データに対応する電話番号もメモリ２２から読み出して送信することから、充電台１ではこれらの電話番号を受信して、○○（株），○△（株）などの機能データと対に記憶部１５に格納する。
【００２３】
なお、無線基地局５に無線接続が可能な無線電話機２Ｂから発信相手先名とその電話番号からなる電話帳データが送信された場合は、充電台１では、これらの電話帳データを記憶部１５に格納するとともに、受信した発信相手先名（ａｂｃ，ｃｄｅ，・・・）を、図４（ａ）のように、各機能ボタン１７Ａに対応するＬＣＤ１６Ａの領域に表示する。
【００２４】
このような、充電台１において、例えば無線電話機２Ｂから受信し記憶部１５に格納した電話帳データをアクセスするために、図示しないスクロールキーが順次操作されると、充電台１の制御部１３は、対応する電話番号を記憶部１５から読み出し、ＬＣＤ１６Ａの領域に、図４（ｂ）のように、発信相手先名とともにその電話番号を順次表示する。そして、所望の相手に発信するために、該当する機能ボタン１７Ａが操作されると、制御部１３は操作された機能ボタンに応じた電話番号を、電話機Ｉ／Ｆ部１４を介して無線電話機２Ｂへ送信する。また、このとき、制御部１３はＬＣＤ１６Ａに、図４（ｃ）のように、「発信」、「発信相手先名（佐藤和雄）」、「電話番号（03-XXXX-YYZZ）」を表示する。無線電話機２Ｂの制御部２１では、無線電話機２Ｂ側から送信された電話番号を通信Ｉ／Ｆ部３０を介して受信し、かつ自身が充電台１から取り上げられてオフフック操作が行われると、受信した電話番号を無線部２５へ送信し、無線部２５からアンテナ２６を介して無線発信を行わせる。これにより、無線基地局５及び無線交換網６を経由した相手への呼び出しが行われ、相手の応答により無線電話機２Ｂの利用者と相手との通話が行われると、「通話時間」や、「通話料金」などの通話情報が表示される。
【００２５】
また、充電台１において、例えば無線電話機２Ａから受信し記憶部１５に格納したオートダイヤル番号をアクセスするために、スクロールキーが順次操作されると、充電台１の制御部１３は、対応する各オートダイヤル号を記憶部１５から読み出し、ＬＣＤ１６Ａの領域に、オート＃１，オート＃２等のボタン名とともにそのダイヤル番号を順次表示する。そして、所望の相手に発信するために、該当する機能ボタン１７Ａが操作されると、制御部１３は操作された機能ボタンに応じたダイヤル番号を、無線電話機２Ａへ送信する。この場合、制御部１３はＬＣＤ１６Ａに、図４（ｃ）のように、「発信」、「ボタン名（オート＃ｎ）」、「電話番号」を同様に表示する。無線電話機２Ｂの制御部２１では、無線電話機２Ｂ側から送信されたダイヤル番号を受信し、かつ自身が充電台１から取り上げられてオフフック操作が行われると、受信したダイヤル番号を無線部２５へ送信し、無線部２５からアンテナ２６を介し主装置４側へ送信させ、主装置４から外線を介した発信を行わせる。これにより、外線を介した相手への呼び出しが行われ、相手の応答により無線電話機２Ａの利用者と相手との通話が行われると、「通話時間」や、「通話料金」などの通話情報が表示される。
【００２６】
ここで、充電台１に設けられたセンサ１８は、その充電台１の周囲に人がいるか否かを検出するものであり、無線電話機２Ａまたは無線電話機２Ｂの通話中に、その通話者が充電台１の周囲にいないことを前記センサ１８が検出すると、充電台１の制御部１３は、無線電話機２Ａまたは無線電話機２Ｂの通話は終了したと判断して、ＬＣＤ１６Ａに表示されている、発信相手先名や、その電話番号、通話時間等の通話詳細情報の表示を消去し、時計／カレンダ部１９からのカレンダ、時刻データを読み出して、図４（ｄ）のような、カレンダ／時刻表示を行う。
【００２７】
また、無線電話機２が充電台１に載置された状態でこの無線電話機２に着信が到来すると、その着信情報は充電台１側に伝達され、この場合、充電台１はＬＥＤ１６Ｂを着信表示（点滅表示）するとともに、前記着信情報に含まれる着信相手先が自身の記憶部１５に登録されている場合は、その着信相手先の詳細情報を、ＬＣＤ１６Ａに、図４（ｅ）のように表示する。
【００２８】
次に、以上のように構成された無線電話システムの要部動作を図５及び図６のフローチャートに基づいて説明する。まず、図５のフローチャートに示される第１の要部動作について説明する。
充電台１に無線電話機２が載置されると、充電台１の給電部１２と無線電話機２の充電Ｉ／Ｆ部３２とが接続されて、給電部１２から充電Ｉ／Ｆ部３２を介して電池３１に電流が供給され、この電流により電池３１の充電が行われる。また、このとき、充電台１の電話機Ｉ／Ｆ部１４と無線電話機２の通信Ｉ／Ｆ部３０とが同様に接続され、無線電話機２の制御部２１は自身が充電台１に載置されたか否かを、通信Ｉ／Ｆ部３０を介して検出することにより判断する（ステップＳ１）。
【００２９】
ここで、無線電話機２が充電台１に載置されたと判定されると（ステップＳ１のＹ）、無線電話機２の制御部２１はメモリ２２に登録されている、前記の機能データ（機能ボタンの名称などの機能データ）及びこれに対応するオートダイヤル番号等、又は発信相手先名及びその電話番号からなる電話帳データを読み出し、充電台１に転送するダウンロードを行う（ステップＳ２）。充電台１ではこれらのデータを受信すると記憶部１５に格納する（ステップＳ３）。そして、ダウンロードされたデータを、図３（ａ），（ｂ），図４（ａ）のようにＬＣＤ１６Ａに表示し、さらに所定操作（例えば図示しないスクロールキー操作）により図４（ｂ）のように表示する。（ステップＳ４）。
【００３０】
ここで、充電台１の或る機能ボタン１７Ａが操作されることにより対応の電話番号が前述のように無線電話機２側に送られると、充電台１の制御部１３はこの無線電話機２の通話が開始されたと判断し（ステップＳ５のＹ）、その通話に関する詳細情報として、前述の図４（ｃ）で示される情報をＬＣＤ１６Ａに表示する。なお、無線電話機２側は充電台１から送られる電話番号を受信すると、前述したようにその電話番号を発信し、相手応答により通話状態となる。
【００３１】
このようにして無線電話機２の通話中にはその通話詳細情報がＬＣＤ１６Ａに表示される。ここで、記憶部１５内に、こうした通話詳細情報の表示を継続させる旨の情報が設定されている場合（ステップＳ６のＹ）は、充電台１の制御部１３は、通話詳細情報の表示を消去せずに継続させ、通話中の無線電話機２の終話を判断する（ステップＳ７）。ここで、センサ１８の出力が充電台１の周囲にその通話者がいないことを示す場合は、制御部１３は終話と判断し（ステップＳ７のＹ）、ＬＣＤ１６Ａに表示されている通話詳細情報を消去し、図４（ｄ）に示すカレンダ／時刻表示を行う（ステップＳ８）。
【００３２】
また、記憶部１５内に、通話詳細情報の表示をタイマで消去する旨の情報が設定されている場合（ステップＳ９のＹ）は、制御部１３は図示しないタイマを起動し、そのタイマの計時による所定期間の経過を判断する（ステップＳ１０）。そして、その所定期間が経過すると、図示しないブザーを一定時間鳴動させて警報音を送出（ステップＳ１１）した後、通話詳細情報を消去し、図４（ｄ）に示すカレンダ／時刻表示を行う（ステップＳ１２）。また、前記所定期間が経過しないうちに無線電話機２の終話が検出されると（ステップＳ１３のＹ）、同様に通話詳細情報を消去し、図４（ｄ）に示すカレンダ／時刻表示を行う（ステップＳ１４）。
【００３３】
また、記憶部１５内に、通話詳細情報の表示を表示消去ボタン１７Ｄの操作により消去する旨の情報が設定されている場合は、その表示消去ボタン１７Ｄの操作の有無を判断する（ステップＳ１５）。ここで、表示消去ボタン１７Ｄの操作が検出された場合は、制御部１３は通話詳細情報を消去し、図４（ｄ）に示すカレンダ／時刻表示を行う（ステップＳ１６）。また、表示消去ボタン１７Ｄが操作されずに、無線電話機２の終話が検出されると（ステップＳ１７のＹ）、同様に通話詳細情報を消去し、図４（ｄ）に示すカレンダ／時刻表示を行う（ステップＳ１８）。
【００３４】
なお、表示消去ボタン１７Ｄによる消去は常時有効としてもよく、無線電話機２の終話が検出されない場合、或いはタイマの所定期間が経過しない場合であっても表示消去ボタン１７Ｄの操作により消去するようにしても良い。
また、表示開始ボタン１７Ｃを操作することにより、消去されていた通話詳細情報を再表示するようにしても良い。この場合、通話詳細情報に含まれる通話時間は表示が消去されている間も演算を継続しているため、正確な通話時間を再表示できる。
【００３５】
また、上記の例では、図４（ｃ）に示す通話詳細情報を消去する場合について説明したが、図３（ａ），（ｂ），図４（ａ），（ｂ）に示されるような通話詳細情報以外の表示を消去する場合についても、同様に、記憶部１５内の設定情報に基づいて消去される。
このように、無線電話機２に登録されその無線電話機２からダウンロードされて充電台１のＬＣＤ１６Ａに表示されているデータを、必要に応じて消去できるため、例えばその表示データがその無線電話機２を所有する利用者の私用データであったとしてもこの私用データが第三者に知られることを排除でき、これにより、その利用者のプライバシーを保護できる。
【００３６】
次に、図６のフローチャートに示される第２の要部動作について説明する。
充電台１に無線電話機２が載置されると、無線電話機２の制御部１３は自身が充電台１に載置されたか否かを、通信Ｉ／Ｆ部３０を介して検出することにより判断する（ステップＳ２１）。
【００３７】
無線電話機２が充電台１に載置されたと判定されると（ステップＳ２１のＹ）、無線電話機２の制御部２１は、充電台１の記憶部１５に設定されている充電台１のＩＤ及び設定情報を通信Ｉ／Ｆ部３０を介して入力する。そして、その設定情報が、記憶部１５にダウンロードされているデータを消去しない旨の情報であり、かつその充電台１のＩＤが自身のＩＤと不一致の場合は充電台１へのデータのダウンロードは行わず、上記条件以外の場合に、メモリ２２に登録されている、前記の機能データ（機能ボタンの名称などの機能データ）及びこれに対応するオートダイヤル番号等、又は発信相手先名及びその電話番号からなる電話帳データを読み出し、充電台１に転送するダウンロードを行う（ステップＳ２２）。充電台１の制御部１３では、無線電話機２からダウンロードされたデータを受信し、記憶部１５に格納する（ステップＳ２３）。この受信データの記憶部１５への格納の際には、制御部１３は記憶部１５に格納されている以前のデータを全て消去してから、その受信データを格納する。これにより、以前のデータがＬＣＤ１６に表示されることを防止できる。
【００３８】
ここで、充電台１の制御部１３は、充電台１からその無線電話機２が取り上げられ自身と非接続となったことを電話機Ｉ／Ｆ部１４を介して検出すると（ステップＳ２４のＹ）、記憶部１５内に、その記憶部１５のダウンロードデータを直ちに消去する旨の情報が設定されている場合（ステップＳ２５のＹ）は、記憶部１５のダウンロードデータを消去（ステップＳ２６）した後、ステップＳ２１へ戻り、充電台１への再度の無線電話機２の載置の有無を判断する。また、記憶部１５内に、その記憶部１５のダウンロードデータを消去しない旨の情報が設定されている場合（ステップＳ２７のＹ）は、記憶部１５内のダウンロードデータを消去せずにステップＳ２１に戻る。
【００３９】
また、記憶部１５内に、その記憶部１５のダウンロードデータをタイマで消去する旨の情報が設定されている場合（ステップＳ２８のＹ）は、制御部１３は図示しないタイマを起動し、そのタイマの計時による所定期間の経過を判断する（ステップＳ２９）。そして、その所定期間が経過すると、記憶部１５のダウンロードデータを消去（ステップＳ３０）したうえ、ステップＳ２１に戻る。なお、制御部１３は、前記所定期間が経過しないうちに無線電話機２が充電台１に載置されたことを電話機Ｉ／Ｆ１４を介して検出すると（ステップＳ３１のＹ）、ステップＳ２２へ戻る。この場合、充電台１に載置された無線電話機２は同様に通信Ｉ／Ｆ部３０を介して自身が充電台１に載置されたことを認識し、充電台１に設定されているその充電台１のＩＤ及び設定情報を同様に入力して、その設定情報が、記憶部１５にダウンロードされているデータを消去しない旨の情報で、かつその充電台１のＩＤが自身のＩＤと不一致の場合以外の場合は、自身のメモリ２２内の登録データを同様に充電台１へダウンロードする（ステップＳ２２）。
【００４０】
また、記憶部１５内に、その記憶部１５内のダウンロードデータをデータ消去ボタン１７Ｅの操作により消去する旨の情報が設定されている場合は、制御部１３はそのデータ消去ボタン１７Ｅの操作の有無を判断する（ステップＳ３２）。ここで、データ消去ボタン１７Ｅの操作が検出された場合は、制御部１３は記憶部１５のダウンロードデータを消去（ステップＳ３３）したうえ、ステップＳ２１に戻る。また、制御部１３は、データ消去ボタン１７Ｅの操作が検出されずに、無線電話機２が充電台１に載置されたことを電話機Ｉ／Ｆ１４を介して検出すると（ステップＳ３４のＹ）、ステップＳ２２へ戻る。
【００４１】
このように、無線電話機２に登録されその無線電話機２からダウンロードされて充電台１の記憶部１５に格納されたダウンロードデータを、必要に応じて消去できるため、第三者がそのデータを表示させるための操作を行ったとしても充電台１のＬＣＤ１６には表示できないことから、これらのデータが例えばその無線電話機２を所有する利用者の私用のデータであったとしてもそのデータの第三者への漏洩を阻止することができ、これにより、その利用者のプライバシーを保護できる。
【図面の簡単な説明】
【００４２】
【図１】本発明に係る無線電話システムを構成する充電台のブロック図（図１（ａ））及び無線電話機のブロック図（図１（ｂ））である。
【図２】上記無線電話機がボタン電話機の主装置に子機として接続される例（図２（ａ））、及び、無線基地局に接続される例（図２（ｂ））を示す図である。
【図３】充電台の機能ボタンに対応する機能データの表示状況を示す図である。
【図４】充電台の機能ボタンに対応する機能データの表示状況を示す図である。
【図５】無線電話システムの第１の要部動作を示すフローチャートである。
【図６】無線電話システムの第２の要部動作を示すフローチャートである。
【符号の説明】
【００４３】
１…充電台、２，２Ａ，２Ｂ…無線電話機、３1〜３n…ボタン電話機、４…主装置、５…基地局、６…無線交換網、１３，２１…制御部、１４…電話機Ｉ／Ｆ部、１５…記憶部、１６，２３…表示部、１６Ａ…ＬＣＤ、１６Ｂ…ＬＥＤ、１７，２４…操作部、１７Ａ…機能ボタン、１７Ｂ…ダイヤルボタン、１７Ｃ…表示開始ボタン、１７Ｄ…表示消去ボタン、１７Ｅ…データ消去ボタン、１８…センサ、２２…メモリ、３０…通信Ｉ／Ｆ部。
【図１】
2005294953.tif 000003
【図２】
2005294953.tif 000004
【図３】
2005294953.tif 000005
【図４】
2005294953.tif 000006
【図５】
2005294953.tif 000007
【図６】
2005294953.tif 000008